【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
基材上及び／又は基材中に水不溶性パターンを製造する方法であって、
ａ）  基材を用意する工程、
ｂ）  潮解性塩を含む処理組成物Ａを用意する工程、
ｃ）  酸又はその塩を含む処理組成物Ｂを用意する工程、
ここで、前記処理組成物Ａの前記潮解性塩及び前記処理組成物Ｂの前記酸又は前記その塩が、前記潮解性塩のカチオンと前記酸又は前記その塩のアニオンとが水性媒体中に水不溶性塩を形成することができるように選択され、
ｄ）  前記処理組成物Ａ及び前記処理組成物Ｂを前記基材の少なくとも１つの表面領域上に堆積させて、基材上及び／又は基材中に少なくとも１つの水不溶性パターンを形成する工程であって、前記処理組成物Ａと前記処理組成物Ｂとが少なくとも部分的に接触し、且つ同時に又は任意の順番で連続的に堆積される、工程
を含む、方法。
【請求項２】
処理組成物Ａ又は処理組成物Ｂが、液体形態で用意される、請求項１に記載の方法。
【請求項３】
処理組成物Ａ及び処理組成物Ｂが、液体形態で用意される、請求項１に記載の方法。
【請求項４】
前記基材が、第１の面及び逆側の面を有する平面状の基材であり、並びに
前記処理組成物Ａ及び前記処理組成物Ｂが、前記基材の前記第１の面上に堆積される、又は
前記処理組成物Ａ及び前記処理組成物Ｂが、前記基材の前記逆側の面上に堆積される、
請求項１〜３のいずれか一項に記載の方法。
【請求項５】
前記基材が、第１の面及び逆側の面を有する平面状の基材であり、並びに
前記処理組成物Ａが、前記基材の前記第１の面上に堆積され、且つ処理組成物Ｂが、前記基材の前記逆側の面上に堆積される、又は
前記処理組成物Ｂが、前記基材の前記第１の面上に堆積され、且つ処理組成物Ａが、前記基材の前記逆側の面上に堆積される、
請求項１〜３のいずれか一項に記載の方法。
【請求項６】
工程ｄ）が、
ｉ）  前記処理組成物Ａを堆積させる工程及び
ｉｉ）  続いて、前記処理組成物Ｂを堆積させる工程であって、前記処理組成物Ａが前記処理組成物Ｂと少なくとも部分的に接触する工程
を含む、請求項１〜５のいずれかに記載の方法。
【請求項７】
工程ｄ）が、
ｉ）  前記処理組成物Ｂを堆積させる工程及び
ｉｉ）  続いて、前記処理組成物Ａを堆積させる工程であって、前記処理組成物Ｂが前記処理組成物Ａと少なくとも部分的に接触する工程
を含む、請求項１〜６のいずれかに記載の方法。
【請求項８】
前記基材が、工程ｉ）及び／又は工程ｉｉ）の後に乾燥される、請求項１〜７のいずれかに記載の方法。
【請求項９】
組成物Ａの前記潮解性塩が、塩素酸塩、硫酸塩、ハロゲン化物、硝酸塩、カルボン酸塩並びにそれらの混合物及び水和物からなる群より選択される、請求項１〜８のいずれかに記載の方法。
【請求項１０】
組成物Ａの前記潮解性塩が、塩素酸塩、硫酸塩、塩化物、臭化物、ヨウ化物、硝酸塩、クエン酸塩、酢酸塩並びにそれらの混合物及び水和物からなる群より選択される、請求項１〜８のいずれかに記載の方法。
【請求項１１】
前記処理組成物Ａが、前記処理組成物の総重量に対して０．１〜１００重量％の量の前記潮解性塩を含む、請求項１〜１０のいずれかに記載の方法。
【請求項１２】
前記処理組成物Ａが、前記処理組成物の総重量に対して１〜８０重量％の量の前記潮解性塩を含む、請求項１〜１０のいずれかに記載の方法。
【請求項１３】
前記酸又は前記その塩が、塩酸、硫酸、亜硫酸、リン酸、シュウ酸、酒石酸、それらの塩、重炭酸塩、炭酸塩及びそれらの混合物からなる群より選択される、請求項１〜１２のいずれかに記載の方法。
【請求項１４】
前記酸又は前記その塩が、リン酸、シュウ酸、酒石酸及びそれらの混合物からなる群より選択される、請求項１〜１２のいずれかに記載の方法。
【請求項１５】
前記処理組成物Ｂが、前記処理組成物の総重量に対して０．１〜１００重量％の量の前記酸又は前記その塩を含む、請求項１〜１４のいずれかに記載の方法。
【請求項１６】
前記処理組成物Ｂが、前記処理組成物の総重量に対して１〜８０重量％の量の前記酸又は前記その塩を含む、請求項１〜１４のいずれかに記載の方法。
【請求項１７】
前記基材が、紙、厚紙、段ボール原紙、プラスチック、セロファン、テキスタイル、木、金属、ガラス、マイカ板、セルロース、ニトロセルロース、綿、大理石、カルサイト、天然石、貼り合わせ石、レンガ、コンクリート、錠剤、キャンバス、人間又は動物由来の天然材料及びそれらのラミネート若しくは複合材料を含む群から選択される、請求項１〜１６のいずれかに記載の方法。
【請求項１８】
前記基材が、紙、厚紙、段ボール原紙又はプラスチックから選択される、請求項１〜１６のいずれかに記載の方法。
【請求項１９】
前記処理組成物Ａ及び／又は前記処理組成物Ｂが、デジタルシリンジによる分注、スプレーコーティング、インクジェット印刷、オフセット印刷、フレキソ印刷、スクリーン印刷、プロッティング、コンタクトスタンピング、輪転グラビア印刷、粉末コーティング、スピンコーティング、反転グラビアコーティング、スロットコーティング、カーテンコーティング、スライドベッドコーティング、フィルムプレス、計量フィルムプレス、ブレードコーティング、はけ塗り及び／又はペンシルによって堆積される、請求項１〜１８のいずれかに記載の方法。
【請求項２０】
前記処理組成物Ａ及び／又は前記処理組成物Ｂが、インクジェット印刷又はスプレーコーティングによって堆積される、請求項１〜１８のいずれかに記載の方法。
【請求項２１】
前記水不溶性パターンが、チャネル、バリア、アレイ、一次元的バーコード、二次元バーコード、三次元的バーコード、セキュリティマーク、数、文字、英数字符号、文章、ロゴ、画像、形状、点字マーキング又は意匠である、請求項１〜２０のいずれかに記載の方法。
【請求項２２】
請求項１〜２１のいずれか一項に記載の方法によって得ることができる水不溶性パターンを含む、基材。
【請求項２３】
前記水不溶性パターンが、潜像パターン、すなわち前記基材の表面に対して第１の角度で見たときに視認できず、前記基材の表面に対して第２の角度で見たときに視認できるパターンである、請求項２２に記載の基材。
【請求項２４】
前記水不溶性パターンが、触知可能なパターンである、請求項２２又は２３に記載の基材。
【請求項２５】
前記水不溶性パターンが、点字マーキングである、請求項２２又は２３に記載の基材。
【請求項２６】
請求項２２〜２５に記載の基材を含む製品であって、前記製品が、バイオアッセイ用の道具、マイクロ流体デバイス、ラボオンチップデバイス、紙を主体とした分析用及び／若しくは診断用の道具、分離プラットフォーム、印刷媒体、包装材、データストレージ、機密文書、非機密文書、装飾用基材、薬剤、タバコ製品、ボトル、衣服、容器、スポーツ用品、おもちゃ、ゲーム、携帯電話、ＣＤ、ＤＶＤ、ブルーレイディスク、機械、工具、自動車部品、ステッカー、ラベル、タグ、ポスター、パスポート、運転免許証、銀行カード、クレジットカード、債権、チケット、郵便切手、納税印紙、銀行券、証明書、ブランド認証タグ、名刺、挨拶状、点字文書、触知可能な文書又は壁紙である、製品。
【請求項２７】
請求項２２〜２６に記載の水不溶性パターンを含む基材の使用であって、触覚的用途、点字用途、印刷用途、分析用途、診断用途、バイオアッセイ、化学的用途、電気的用途、セキュリティデバイス、オバート若しくはコバートセキュリティ要素、ブランド保護、マイクロレタリング、マイクロイメージング、装飾、芸術若しくは視覚的用途又は包装用途における、使用。